(57)【要約】【課題】車両の振動等により不測に外れないように挟むことができ、しかも、容易に取外すことができる挟み具を提供する。【解決手段】車内の空気吹出グリルのフィン等を挟む二つの挟み片１１，１２及び該二つの挟み片１１，１２を連結する連結部１３を有する略Ｕ字形をなし、二つの挟み片１１，１２の一方に保持部１５を設け、他方に被押圧部１６及び係止部１８を設けてある。被押圧部１６と接近／離反を可能に保持部１５に枢支される枢支凸部２１を一端部に設け、被押圧部１６を押圧する押圧部２２及び係止部１８に係止される被係止部２５を他端部に設けてなる略Ｃ字形をなす可動体２を備え、該可動体２を前記接近／離反方向へ回動操作することによりフィン等に取着、及び取外しすることができるようにした。【選択図】図１
2008113890.tif 000002
【特許請求の範囲】
【請求項１】
二つの挟み片及び該二つの挟み片を連結する連結部を有し、略Ｕ字形をなす挟み具において、前記二つの挟み片に対して可動に保持され、且つ前記二つの挟み片の一方に接触して該一方を他方側へ押圧する押圧部及び該押圧部が押圧した状態で係止される被係止部を有する可動体を備えることを特徴とする挟み具。
【請求項２】
前記二つの挟み片の一方に保持部を有し、他方に前記押圧部により押圧される被押圧部を有し、前記可動体は他方と接近／離反を可能に前記保持部に枢支されている請求項１記載の挟み具。
【請求項３】
前記二つの挟み片の少なくとも一方の端部に抜止爪部を有する請求項１又は２記載の挟み具。
【請求項４】
前記可動体は前記保持部に枢支される枢支凸部を一端部に有し、前記押圧部及び被係止部を他端部に有する略Ｃ字形をなす請求項２記載の挟み具。
【発明の詳細な説明】
【技術分野】
【０００１】
本発明は車両の室内等に配設されている適宜の物体、又は、物干し竿等に干される布団等を挟むための挟み具に関する。
【背景技術】
【０００２】
車室に配設されている適宜の物体を挟み、携帯電話器等の物品を車室に支持する挟み具は例えば特許文献１に記載されている。この挟み具は、背凭れのヘッドレスト棒に外嵌される凹部及び該凹部を縮径させるボルトを備えており、ボルトを回し操作することにより凹部を縮径させ、ヘッドレスト棒を挟むように構成されている。また、空気吹出グリルに嵌込みにより挟持される二つの挟み片を有し、該二つの挟み片を空気吹出グリルに嵌込むことにより空気吹出グリルを挟むように構成された挟み具も知られている。
【特許文献１】特許第３５２７９２５号公報
【発明の開示】
【発明が解決しようとする課題】
【０００３】
ところが、特許文献１にあっては、ボルトにより凹部を縮径させて挟むため、ボルトの締め加減が分かり難いし、また、車両の振動等によりボルトが弛緩し易いと言う問題があった。また、二つの挟み片を有する挟み具にあっては、挟み片による挟み力が強い場合は、取外し難く、挟み片による挟み力が弱い場合は、車両の振動等により外れ易いと言う問題があった。
【０００４】
本発明は斯かる事情に鑑みてなされたものであり、主たる目的は二つの挟み片に対して可動に保持され、且つ二つの挟み片の一方に接触して該一方を他方側へ押圧する押圧部及び該押圧部が押圧した状態で係止される被係止部を有する可動体を備える構成とすることにより、車両の振動等により不測に外れるのを防ぐことができるとともに、容易に取外すことができる挟み具を提供することにある。
【０００５】
また、他の目的は二つの挟み片の一方に保持部を有し、他方に可動体の押圧部により押圧される被押圧部を有する構成とし、可動体を、他方と接近／離反を可能に保持部に枢支することにより、挟着及び取外しを片手で簡易にできる挟み具を提供することにある。
【０００６】
また、他の目的は抜止爪部を設けることにより、挟み具に比較的大きな外力が加わる場合においても外れを防ぐことができる挟み具を提供することにある。
【０００７】
また、他の目的は可動体を、保持部に枢支される枢支凸部を一端部に有し、押圧部及び被係止部を他端部に有する略Ｃ字形とすることにより、可動体部分を片手で把持し易くでき、しかも、挟着及び取外しを片手でより一層簡易にできる挟み具を提供することにある。
【課題を解決するための手段】
【０００８】
第１発明に係る挟み具は、二つの挟み片及び該二つの挟み片を連結する連結部を有し、略Ｕ字形をなす挟み具において、前記二つの挟み片に対して可動に保持され、且つ前記二つの挟み片の一方に接触して該一方を他方側へ押圧する押圧部及び該押圧部が押圧した状態で係止される被係止部を有する可動体を備えることを特徴とする。
【０００９】
第１発明にあっては、可動体を操作することにより該可動体が二つの挟み片の一方を他方側へ押圧するため、可動体が未操作の状態で二つの挟み片を適宜の物体又は物品の外側に容易に嵌めることができ、この後、可動体を操作することにより二つの挟み片で空気吹出グリル等の物体又は布団等の物品を強く挟むことができるとともに、この挟み状態を維持することができ、車両の振動、自然風等により不測に外れるのを防ぐことができる。また、可動体を復帰操作することにより挟み片の押圧を解除でき、容易に取外すことができる。
【００１０】
第２発明に係る挟み具は、第１発明において、前記二つの挟み片の一方に保持部を有し、他方に前記押圧部により押圧される被押圧部を有し、前記可動体は他方と接近／離反を可能に前記保持部に枢支されていることを特徴とする。
【００１１】
第２発明にあっては、片手で把持した状態で指を動作させることにより可動体を接離方向へ回動させ得るため、挟着及び取外しを片手で簡易にできる。
【００１２】
第３発明に係る挟み具は、第１発明又は第２発明において、前記二つの挟み片の少なくとも一方の端部に抜止爪部を有することを特徴とする。
【００１３】
第３発明にあっては、可動体の操作により二つの挟み片が物体を挟んだとき、抜止爪部を物体に係止することができるため、挟み具に比較的大きな外力が加わる場合においても外れを防ぐことができる。また、可動体を離反方向へ操作することにより抜止爪部の係止を解除することができるため、取外し操作を容易にできる。
【００１４】
第４発明に係る挟み具は、第２発明において、前記可動体は前記保持部に枢支される枢支凸部を一端部に有し、前記押圧部及び被係止部を他端部に有する略Ｃ字形をなすことを特徴とする。
【００１５】
第４発明にあっては、二つの挟み片を連結する連結部側に略Ｃ字形をなす可動体が枢支されているため、可動体部分を片手で把持し易くでき、しかも、可動体を操作するだけで挟着維持、及び取外しができるため、挟着及び取外しを片手でより一層簡易にできる。
【発明の効果】
【００１６】
第１発明によれば、二つの挟み片を適宜の物体、物品の外側に容易に嵌めることができ、この後、可動体を操作することにより二つの挟み片で物体、物品を強く挟むことができ、車両の振動等により不測に外れるのを防ぐことができるとともに、可動体を復帰操作することにより挟み片の押圧を解除でき、容易に取外すことができる。
【００１７】
第２発明によれば、片手で把持した状態で指を動作させることにより可動体を接離方向へ回動させることができ、挟着及び取外しを片手で簡易にできる。
【００１８】
第３発明によれば、挟み具に比較的大きな外力が加わる場合においても外れを抜止爪部により防ぐことができ、また、可動体を離反方向へ可動操作することにより抜止爪部の係止を解除することができ、取外し操作を容易にできる。
【００１９】
第４発明によれば、二つの挟み片を連結する連結部及び略Ｃ字形をなす可動体により可動体部分を片手で把持し易くでき、しかも、可動体を操作するだけで挟着維持、及び取外しができ、挟着及び取外しを片手でより一層簡易にできる。
【発明を実施するための最良の形態】
【００２０】
以下、本発明をその実施の形態を示す図面に基づいて詳述する。図１は本発明に係る挟み具の構成を示す斜視図である。
【００２１】
図に示した挟み具は離隔して対向し、車室の空気吹出グリルを挟む板状の二つの挟み片１１，１２及び該二つの挟み片１１，１２を連結する湾曲した可撓の連結部１３を有する略Ｕ字形をなし、二つの挟み片１１，１２の一方を他方側へ押圧する可動体２を備える。
【００２２】
挟み片１１，１２及び連結部１３はポリカーボネート等の合成樹脂により成形されている。一方の挟み片１１の基部には幅方向に離隔して対向し、且つ軸孔１４を有する二つの保持部１５が突設されており、他方の挟み片１２の基部には半円柱形をなす被押圧部１６が突設されている。この被押圧部１６は後記する被係止部を係止すべき係止部１８を兼ねている。また、一方の挟み片１１の先端には内向きに突出する抜止爪部１７が設けられている。連結部１３は略Ｃ字形に湾曲しており、途中に薄肉の可撓部１３ａが設けられている。
【００２３】
可動体２は連結部１３に対応して湾曲する略Ｃ字形をなし、ポリカーボネート等の合成樹脂により成形されている。可動体２の一端部は軸孔１４に嵌入される一対の枢支凸部２１を有し、他端部の内側は被押圧部１６を押圧する溝状の押圧部２２及び被押圧部１６が兼ねる係止部１８に係止され、押圧部２２が兼ねる被係止部２５を有し、枢支凸部２１が軸孔１４に嵌入枢支されることにより可動体２が保持部１５に回動を可能に保持され、被係止部２５が係止部１８に係止されることにより、可動体２が押圧した状態を維持することができるように構成されている。また、中央部の外側は略半円形に湾曲する操作凸部２３を有し、該操作凸部２３に軸孔１４と同方向へ貫通する孔２４が開設されている。孔２４は携帯電話器等の物品に取付けられている紐部等が挿通して取付けられたり、前記物品に取付けられているフック等が係止される。
【００２４】
枢支凸部２１と押圧部２２（被係止部２５）との間の距離Ｈ１は、軸孔１４と被押圧部１６（係止部１８）との間の距離Ｈ２より短く、距離Ｈ１，Ｈ２の差によって挟み片１２を挟み片１１側へ撓ませ、被係止部２５を係止部１８に係止することができるように構成されている。
【００２５】
図２は可動体が操作された状態を示す斜視図である。以上のように構成された挟み具は、例えば車室の空気吹出グリルを挟着する。挟み具は挟み片１１，１２が平行的に対向し、抜止爪部１７と挟み片１２との間が離隔しているため、可動体２を操作することなく挟み片１１，１２を空気吹出グリルのフィンの両側に嵌め込むことができる。この際、抜止爪部１７は挟み片１１に対して傾斜しているため、抜止爪部１７が空気吹出グリルのフィンに当接すると、この当接抵抗により挟み片１１が可撓部１３ａを支点として挟み片１２と離隔する方向へ若干撓む。
【００２６】
挟み片１１，１２を前記フィンの両側に嵌め込んだ後、操作凸部２３に指を掛け、可動体２の押圧部２２を挟み片１２と接近する方向へ押圧することにより押圧部２２側内面が被押圧部１６を押圧し、可撓部１３ａを支点として挟み片１２が撓みつつ被係止部２５が係止部１８に係止され、挟み片１１，１２によりフィンを挟むことができ、抜止爪部１７をフィンの後端に係止することができるとともに、可動体２の回動を規制することができ、押圧した状態を維持することができる。従って、挟み片１１，１２による挟み力及び抜止爪部１７の係止により挟み具のガタつき及び抜出しを禁止することができ、挟着状態を維持することができる。このように挟着した挟み具には、可動体２の孔２４に挿通される紐部材とか、孔２４に引掛けられるフック部材等により携帯電話、眼鏡ケース等の物品が支持される。
【００２７】
また、挟み具を外す場合、操作凸部２３に指を掛け、可動体２を挟み片１２と離反する方向へ回動操作して被係止部２５の係止部１８との係合を解除することにより、連結部１３の弾性復元力により挟み片１２が復帰し、挟み片１１，１２によるフィンの挟み及び抜止爪部１７による係止を解除することができる。従って、可動体２及び連結部１３を摘んだ状態で引張ることにより簡易に取外すことができる。
【００２８】
以上のように可動体２を接近／離反方向へ片手で操作することができるため、挟着及び取外しを片手によるワンタッチ操作で容易に行うことができる。
【００２９】
図３は本発明に係る挟み具の他の構成を示す斜視図、図４は可動体が操作された状態を示す斜視図である。以上説明した実施の形態では抜止爪部１７を有する構成とし、空気吹出グリルを挟着する場合について説明したが、その他、図３、図４に示すように抜止爪部１７に代えて、末広がりに湾曲させてなる案内部１９，１９を挟み片１１，１２の先端部に設けた構成としてもよい。尚、この場合、可動体２の操作凸部２３はなくする。
【００３０】
以上のように構成された挟み具は、挟み片１１，１２の先端部に案内部１９，１９を有するため、物干し竿等に干された布団等を挟む際、案内部１９，１９により挟み片１１，１２を布団の表面に沿って容易に移動させることができ、布団を迅速に挟むことができる。
その他の構成及び作用効果は図１、図２に示した実施の形態と同様であるため、同様の構成については同じ符号を付し、その詳細な説明及び作用効果の説明を省略する。
【００３１】
尚、以上説明した実施の形態では、挟み片１１に軸孔１４を設け、可動体２に枢支凸部２１を設ける構成としたが、その他、可動体２に軸孔１４を設け、挟み片１１に枢支凸部２１を設ける構成としてもよく、また、枢支軸により枢支する構成としてもよく可動体２の枢支構造は特に制限されない。
【００３２】
また、挟み片１２に半円柱形をなす被押圧部１６（係止部１８）を設け、可動体２に溝状の押圧部２２（被係止部２５）を設けたが、その他、被押圧部１６（係止部１８）を溝状とし、押圧部２２（被係止部２５）を半円柱形としてもよく、被押圧部１６（係止部１８）及び押圧部２２（被係止部２５）の構成は特に制限されない。また、係止部１８は被押圧部１６と離隔した位置に設け、被係止部２５は押圧部２２と離隔した位置に設けてもよい。
【００３３】
また、本発明に係る挟み具は、車室の空気吹出グリルと異なる物体を挟むことも可能である。この場合、挟み片１１，１２を物体に対応した形にする。
【図面の簡単な説明】
【００３４】
【図１】本発明に係る挟み具の構成を示す斜視図である。
【図２】本発明に係る挟み具の可動体が操作された状態を示す斜視図である。
【図３】本発明に係る挟み具の他の構成を示す斜視図である。
【図４】本発明に係る挟み具の可動体が操作された状態を示す斜視図である。
【符号の説明】
【００３５】
１１，１２  挟み片
１３  連結部
１５  保持部
１６  被押圧部
１７  抜止爪部
１８  係止部
２    可動体
２１  枢支凸部
２２  押圧部
２５  被係止部
【図１】
2008113890.tif 000003
【図２】
2008113890.tif 000004
【図３】
2008113890.tif 000005
【図４】
2008113890.tif 000006